(57)【要約】【課題】給紙速度を向上し、スキャナ又はプリンタの走査速度又は印刷速度を向上することができる給紙装置を提供する【解決手段】紙ピックアップローラアセンブリ、紙搬送ローラアセンブリ、一方向駆動アセンブリ、及び逆駆動アセンブリを含む給紙装置が提供される。一方向駆動アセンブリ及び逆駆動アセンブリはモータのような駆動デバイスに接続され、一方向駆動アセンブリは、紙ピックアップローラアセンブリと一方向にのみ係合し、駆動デバイスが前方に回転するのに従って紙ピックアップローラアセンブリを前方に駆動し、駆動デバイスが後方に回転するのに従って紙ピックアップローラアセンブリの駆動を停止し、逆駆動アセンブリは、駆動デバイスが前方に回転しようと後方に回転しようと、紙シートを搬送して前方に移動させるために紙搬送ローラアセンブリを駆動して絶えず前方に回転させるために設置される。【選択図】図２
2008044786.tif 000002
【特許請求の範囲】
【請求項１】
ベースに配置された給紙装置であって、給紙装置を駆動するための駆動デバイスがベースに配置されており、当該給紙装置は、
ベース内に定められ、作業領域を通過する、給紙トラックを備え、給紙トラックは入口部、反転部、出口部を備え、入口部の一端は紙シートが進入するためのものであり、他端は作業領域に接続され、出口部の一端は作業領域に接続され、他端は給紙トラックから紙シートが去るためのものであり、反転部の２つの端部は作業領域に接続されて、紙シートのリターンパスとして働き、
紙シートを給紙トラックへピックアップするための、紙ピックアップローラアセンブリを備え、
駆動デバイスに接続され、駆動デバイスによって駆動される、一方向駆動アセンブリを備え、一方向駆動アセンブリは、紙ピックアップローラアセンブリと一方向でのみ係合し、駆動デバイスが前方に回転するのに従って紙ピックアップローラアセンブリを前方に駆動し、且つ駆動デバイスが後方に回転するのに従って紙ピックアップローラアセンブリの駆動を停止し、
紙シートを搬送して給紙トラックにおいて前方に移動させるために給紙トラックに沿って配置される、紙搬送ローラアセンブリを備え、
紙搬送ローラアセンブリを絶えず駆動して前方に回転させるために、駆動デバイスに接続されて駆動デバイスによって駆動される逆駆動アセンブリを備え、逆駆動アセンブリは、駆動デバイスが前方に回転するのに従って紙搬送ローラアセンブリを駆動して前方に回転させ、紙シートを前方に搬送し、且つ、逆駆動アセンブリは、駆動デバイスが後方に回転するのに従って紙搬送ローラアセンブリを駆動して前方に回転させ、紙シートを前方に搬送することを特徴とする、
給紙装置。
【請求項２】
一方向駆動アセンブリは、
ベースに対して揺動するために一端がベースに枢動可能に接続される、アームを備え、
アームに枢動可能に接続され、互いに係合する、複数のクラッチギアを備え、クラッチギアの内の一つが駆動デバイスと係合し、
アームは、選択的に揺動して紙ピックアップローラアセンブリをクラッチギアと係合させるか又はクラッチギアから解放することを特徴とする、
請求項１に記載の給紙装置。
【請求項３】
クラッチギアは、
駆動デバイスに接続される第１のクラッチギアを備え、第１のクラッチギアとアームがベースに同軸上に接続され、
第１のクラッチギアと係合し、アームの揺動に同調して紙ピックアップローラアセンブリと選択的に係合する、第２のクラッチギアを備えることを特徴とする、
請求項２に記載の給紙装置。
【請求項４】
逆駆動アセンブリが、互いに反対方向に回転出力を有する第１の出力端及び第２の出力端を備え、紙搬送ローラアセンブリを絶えず駆動して前方に回転させるために、第１の出力端及び第２の出力端が紙搬送ローラアセンブリと交互に係合することを特徴とする、請求項１に記載の給紙装置。
【請求項５】
逆駆動アセンブリは、
ベースに対して揺動するためにベースに枢動可能に接続されるギアシートを備え、
ベースに枢動可能に接続され且つ駆動デバイスに接続される被駆動ギアを備え、被駆動ギア及びギアシートがベースに同軸上に接続され、
ギアシートに枢動可能に接続され、逆駆動アセンブリの第１の出力端として働くように被駆動ギアと係合する第１の逆転ギアを備え、
ギアシートに枢動可能に接続され且つ互いに係合する複数の第２の逆転ギアを備え、逆駆動アセンブリの第２の出力端として働くように、第２の逆転ギアの一つが被駆動ギアと係合し、第２の逆転ギアの少なくとも一つが第１の逆転ギアが回転する方向と反対方向に回転することを特徴とする、
請求項４に記載の給紙装置。
【請求項６】
逆駆動アセンブリは、
ベースに対して揺動するためにベースに枢動可能に接続されるギアシートを備え、
ベースに枢動可能に接続され且つ駆動デバイスに接続される被駆動ギアを備え、被駆動ギアとギアシートは、同軸上にベースに接続され、
ギアシートに枢動可能に接続され且つそれぞれ被駆動ギアと係合する２つの第１の逆転ギアを備え、
ギアシートに枢動可能に接続され且つ互いに係合する複数の第２の逆転ギアを備え、第２の逆転ギアの内の一つが紙搬送ローラアセンブリと絶えず係合し、
被駆動ギアがギアシートを駆動して揺動させて２つの第１の逆転ギアの一方を第２の逆転ギアの内の一つと係合させ、又は第１の逆転ギアの他方を第２の逆転ギアの内の別の一つと係合させ、紙搬送ローラアセンブリを駆動して絶えず前方に回転させることを特徴とする、
請求項１に記載の給紙装置。
【請求項７】
一方向駆動アセンブリ及び逆駆動アセンブリを駆動デバイスに接続するための、パワー伝達アセンブリを備えることを特徴とする、請求項１に記載の給紙装置。
【請求項８】
パワー伝達アセンブリが異なる減速比を有する複数の減速ギアを備え、一方向駆動アセンブリの回転速度が逆駆動アセンブリの回転速度と異なるように、一方向駆動アセンブリ及び逆駆動アセンブリがそれぞれ減速ギアの内の一つと係合することを特徴とする、請求項７に記載の給紙装置。
【請求項９】
パワー伝達アセンブリは減速ギアであり、一方向駆動アセンブリの回転速度と逆駆動アセンブリの回転速度の間に差が存在するように、一方向駆動アセンブリと逆駆動アセンブリは異なるギア比を有することを特徴とする、請求項７に記載の給紙装置。
【請求項１０】
紙シートを搬送する紙搬送ローラアセンブリの速度が紙シートを搬送する紙ピックアップローラアセンブリの速度よりも大きいことを特徴とする、請求項１に記載の給紙装置。
【請求項１１】
反転部の２つの端が入口部及び出口部にそれぞれ接続されるように、作業領域の上方の空間を第１の走査領域及び第２の走査領域に分割するために作業領域に配置される透明パーティションを備えることを特徴とする、請求項１に記載の給紙装置。
【発明の詳細な説明】
【技術分野】
【０００１】
本発明は、紙ピックアップ送給装置に関し、より具体的には、両面文書シートを反転してシートの両面を走査又は印刷し、且つ片面文書シートを走査又は印刷している時の給紙速度を維持するための給紙装置に関する。
【背景技術】
【０００２】
単一の印刷モジュールを有する印刷装置において、一度に紙シートの片面のみを印刷し、紙シートの両面を印刷する必要がある場合には、紙シートの他面を印刷するように、紙シートの片面の印刷が完了した後再び紙シートを送給しなければならない。
単一の走査モジュールを有する走査装置において、両面走査のプロセスは同一であり、即ち、他面を走査する前に紙シートの片面をまず走査しなければならない。
【０００３】
初期の両面印刷方法又は両面走査方法では、他面の印刷又は走査を行うように、片面を印刷又は走査した後、紙シートをユーザによって手動で反転してから給紙トラックに再び送給する。
しかしながら、この方法は複雑で、間違った手動操作のために紙シートの二面の印刷方向又は走査方向がしばしば異なってしまう。従って、両面走査又は両面印刷を容易にし、且つ手動での紙シートの反転によって引き起こされる問題を回避するために、他面の印刷又は走査を行うように、紙シートの片面の印刷又は走査が完了した後に自動で紙シートを反転させて再び印刷モジュール又は走査モジュールを通過するように送給できる、様々な給紙装置が提案されている。例えば、米国特許第５，４３０，５３６号、第５，６８０，２０４号、及び第６，５６３，６１１号は、紙シートを反転して両面印刷又は両面走査を行うための給紙装置である。
【０００４】
米国特許番号５，４３０，５３６では、交差路が給紙路の前部及び後部を接続する。紙シートの第１の面が印刷又は走査された後、紙シートの第２の面が印刷又は走査されるように、紙シートは交差路を通って元の給紙路に戻るように、給紙装置が反転して紙シートを戻すように移動する。交差路を使用して紙シートを裏返すことで、紙シートを反転して両面に印刷又は走査する前に紙シートが２回給紙路を通過するように導く。
【０００５】
米国特許番号５，６８０，２０４では、２つの走査モジュール又は印刷モジュールが給紙路の両側に配置されて紙シートの両面を同時に走査又は印刷する。しかしながら、給紙装置は単純化されているが、２つの走査モジュール又は印刷モジュールを使用するため、コストを大幅に増大する。
【０００６】
米国特許第６，０３２，９４９号では、紙シートが走査モジュール又は印刷モジュールを通過した後、反転路を使用して走査モジュール又は印刷モジュールに面する他面を有する紙シートを反転して走査又は印刷を完了する。しかしながら、給紙トラックへ入る又は給紙トラックから去る紙シートの経路が同じなので、給紙トラックは一度に一枚の紙シートしか搬送できない。紙シートの片面を走査又は印刷する場合、他の紙シートは給紙トラックに入れないため給紙速度は低下する。すなわち、片面走査又は片面印刷の給紙速度に大きく影響する。
【発明の開示】
【発明が解決しようとする課題】
【０００７】
両面走査又は両面印刷のための従来の給紙装置は、低給紙速度又はコスト高という問題を有するので、給紙速度を向上すること及びコストを削減することは最も重要な技術的問題となる。
【０００８】
上記の問題に鑑み、本発明の目的は、給紙速度を向上し、従ってスキャナ又はプリンタの走査速度又は印刷速度を向上することができる給紙装置を提供することである。
【課題を解決するための手段】
【０００９】
上述の目的を達成するために、給紙装置を駆動するための駆動デバイスがベースに配置された、給紙トラックを含むベースに配置された本発明の給紙装置を提供する。
給紙装置は紙ピックアップローラアセンブリ、一方向駆動アセンブリ、紙搬送ローラアセンブリ、及び逆駆動アセンブリを含む。
【００１０】
紙ピックアップローラアセンブリは、紙シートを給紙トラックにピックアップするために給紙トラックの入口端に配置される。
【００１１】
一方向駆動アセンブリは駆動デバイスに接続され、駆動デバイスによって駆動される。一方向駆動アセンブリは、紙ピックアップローラアセンブリと一方向でのみ係合し、紙シートを給紙トラックにピックアップするように駆動デバイスが前方に回転するのに従って紙ピックアップローラアセンブリを前方に駆動させ、且つ駆動デバイスが後方に回転するのに従って紙シートのピックアップを停止するように駆動デバイスが後方に回転するのに従って紙ピックアップローラアセンブリの駆動を停止する。
【００１２】
紙搬送ローラアセンブリは、紙シートを搬送して給紙トラックにおいて前方にそれを移動するため給紙トラックに沿って配置される。
【００１３】
逆駆動アセンブリは駆動デバイスに接続され、駆動デバイスによって駆動される。逆駆動アセンブリは、紙搬送ローラアセンブリを絶えず駆動して前方に回転し、給紙トラックにおいて紙シートを継続的に前方に移動させるように設置される。逆駆動アセンブリは、紙搬送ローラアセンブリを駆動して前方に回転させ、紙シートを前方に移動させ、且つ駆動デバイスが後方に回転するのに従って紙搬送ローラアセンブリを継続的に駆動して前方に回転させ、紙シートを前方に移動させる。従って、駆動デバイスが前方に回転しようと後方に回転しようと、給紙搬送ローラアセンブリは前方に回転して、給紙トラックにおいて紙シートを前方に移動させることができる。
【発明の効果】
【００１４】
本発明の効果は、一方向駆動アセンブリと逆駆動アセンブリの組合せ、即ち、駆動デバイスの前方又は後方の回転を使用して、片面又は両面走査モードに変換し、且つ紙シートを後方に移動することなく継続的に前方に移動し続けることによって給紙装置の給紙速度を維持することである。一方、片面走査又は片面印刷を行う場合、紙シートを継続的及び連続的にピックアップして２枚の紙シートの間の空間を維持し、それによって片面走査又は片面印刷の効果を向上する。
【発明を実施するための最良の形態】
【００１５】
本発明は、例示のためのみに以下に与えられ、従って本発明を制限するものではない詳細な説明からより完全に理解される。
【００１６】
本発明の目的、構造、特徴、及び機能を明らかにするため、実施の形態を参照して本発明を以下に詳細に例示する。
【００１７】
図１を参照すると、本発明の実施の形態に従う給紙装置が提供されている。
給紙装置はベース１００に配置される。ベース１００は、限定ではないが、スキャナ又はプリンタである。
ベース１００は内部に定められた給紙トラック１１０を含み、給紙トラック１１０は、ベース１００内部を前方に移動する紙シートＰのために設けられ、作業領域１２０に面する第１の側がベース１００に定められた作業領域１２０上を通過する。そして、紙シートＰはリターンパスを通過した後、紙シートＰは作業領域１２０に面する第２の面が再度作業領域１２０上を通過する。従って、紙シートＰの第１の面及び第２の面が作業領域１２０で走査又は印刷できる。
スキャナは本発明の実施形態を例示するために例として挙げられている。しかしながら、本発明に開示された給紙装置はスキャナに配置されるものに限定されない。むしろ、本発明に開示された給紙装置はプリンタ又は多機能周辺機器（ＭＦＰ）にも適用できる。
【００１８】
給紙トラック１１０は作業領域１２０の片側上に延出し、走査モジュール３００は作業領域１２０上を通過する紙シートＰを走査するために作業領域１２０の他方の側に配置される。
給紙トラック１１０は入口端１１１及び出口端１１２を含む。紙シートＰは入口端１１１を経て給紙トラック１１０に入り、出口端１１２を経て給紙トラック１１０から去る。
給紙トラック１１０は３つの部分、即ち、入口部１１３、反転部１１４、及び出口部１１５に分かれる。
入口部１１３の一端は紙シートＰが入るために入口端１１１に接続され、入口部１１３の他端は作業領域１２０に接続される。一方、出口部１１５の一端は作業領域１２０に接続され、出口部１１５の他端は紙シートＰが給紙トラック１１０から去るために出口端１１２に接続される。
反転部１１４の２つの端は両方とも作業領域に接続され、リターンパスとして働く。
透明パーティション１２３が作業領域１２０の上方に配置されて作業領域１２０の上方の空間を第１の走査領域１２１及び第２の走査領域１２２に分割し、一方、反転部１１４の２つの端は第１の走査領域１２１及び第２の走査領域１２２を介して入口部１１３及び出口部１１５にそれぞれ接続されている。即ち、入口端１１１を経て給紙トラック１１０の入口部１１３に入った後、紙シートＰは、作業領域１２０に面する走査されるべき第１の面を有する第１の走査領域１２１を通って作業領域１２０上を通過する。そして、反転部１１４に入り移動し続けた後、紙シートＰは、透明パーティションにもたれかかり作業領域１２０に面する走査すべき第２の面を有する第２の走査領域１２２を通って再び作業領域１２０上を通過する。その後、紙シートＰは出口部１１５に入り、出口端１１２を経て給紙トラック１１０から去る。
【００１９】
図２、図３、及び図４を参照すると、紙シートＰをピックアップし搬送するため、入口端１１１を介して紙シートＰを給紙トラック１１０に進入させ、出口端１１２を経て給紙トラック１１０から出すように、給紙装置を駆動するために駆動デバイス１３０をベース１００に配置する。
給紙装置は紙ピックアップローラアセンブリ２１０、パワー伝達アセンブリ２２０、一方向駆動アセンブリ２３０、紙搬送ローラアセンブリ、及び逆駆動アセンブリ２５０を含む。
【００２０】
紙ピックアップローラアセンブリ２１０が、紙シートＰを給紙トラック１１０へピックアップするために給紙トラック１１０の入口端１１１に配置される。
【００２１】
パワー伝達アセンブリ２２０は複数の減速ギア２２１を含み、駆動デバイス１３０の駆動を通して前方又は後方出力を行うように、駆動デバイス１３０に接続されている。一方、減速ギア２２１の噛合いが駆動デバイス１３０から出力されたトルクを向上し、出力の回転速度を変換する。パワー伝達アセンブリ２２０の減速ギア２２１は異なる減速比を有して回転速度差を生ずる。
異なる減速ギア２２１、一方向駆動アセンブリ２３０、及び逆駆動アセンブリ２５０それぞれの間の係合を通して、一方向駆動アセンブリ２３０及び逆駆動アセンブリ２５０は異なる回転速度を有し、異なる紙ピックアップ速度及び給紙速度の要求を満たす。
【００２２】
図５、図６Ａ、及び図６Ｂを参照すると、紙ピックアップローラアセンブリ２１０が一方向にのみ駆動されて紙シートＰを給紙トレイから給紙トラック１１０へピックアップでき、且つ逆方向に駆動されて紙シートＰを排出しないように、パワー伝達アセンブリ２２０は一方向駆動アセンブリ２３０を駆動デバイス１３０に接続し、パワー伝達アセンブリ２２０は駆動デバイス１３０によって駆動されて紙ピックアップローラアセンブリ２１０と一方向にのみ係合する。
一方向駆動アセンブリ２３０はクラッチギアアセンブリ２３１及びアーム２３２を含む。
クラッチギアアセンブリ２３１はアーム２３２に配置され、パワー伝達アセンブリ２２０を介して絶えず駆動デバイス１３０に接続されている。
クラッチギアアセンブリ２３１は第１のクラッチギア２３１ａ及び第２のクラッチギア２３１ｂを含む。
第１のクラッチギア２３１ａ及び第２のクラッチギア２３１ｂはアーム２３２に枢動可能に接続され、互いに係合する。アーム２３２の一端はベース１００に枢動可能に接続され、ベース１００に対して揺動する。
第１のクラッチギア２３１ａはパワー伝達アセンブリ２２０と係合し、第１のクラッチギア２３１ａ及びアーム２３２はベース１００に同軸上に接続され、第１のクラッチギア２３１ａとアーム２３２が同軸上に回転する。
駆動デバイス１３０が前方に回転して一方向駆動アセンブリ２３０を駆動するので、クラッチギアアセンブリ２３１の第１のクラッチギア２３１ａがパワー伝達アセンブリ２２０によって駆動され、アーム２３２が紙ピックアップローラアセンブリ２１０に向かって揺動して第２のクラッチギア２３１ｂを駆動し、紙ピックアップローラアセンブリ２１０に向かって移動させる。従って、一方向駆動アセンブリ２２０の第２のクラッチギア２３１ｂは紙ピックアップローラアセンブリ２１０と選択的に係合する。
一方向駆動アセンブリ２２０が紙ピックアップローラアセンブリ２１０と係合するので、紙ピックアップローラアセンブリ２１０が駆動されて前方に回転し、紙シートＰを給紙トレイからピックアップして入口端１１１を介して給紙トラック１１０に進入させる。
駆動デバイス１３０が後方に回転する場合、第２のクラッチギア２３１ｂが紙ピックアップローラアセンブリ２１０から解放されるように、アーム２３２を駆動して後方に揺動させる。従って、紙ピックアップローラアセンブリ２１０は一方向駆動アセンブリ２３０から解放され、駆動デバイス１３０が後方に回転するに従って紙シートＰが後方に移動させられることはない。従って、一方向駆動ローラアセンブリ２３０は、紙ピックアップローラアセンブリ２１０を一方向にのみ駆動して前方に回転させるが、紙ピックアップローラアセンブリ２１０を駆動して後方に回転させることはない。
【００２３】
本発明の本実施形態において、紙ピックアップローラアセンブリ２１０は、駆動デバイス１３０が前方に回転するのに従って前方に回転するが、駆動デバイス１３０が後方に回転するのに従って回転はしない。
【００２４】
図１及び図２を参照すると、紙搬送ローラアセンブリは複数の紙搬送ローラ２４１及び複数のリレーギアを有する。
紙搬送ローラ２４１は、給紙トラック１１０において紙シートＰを前方に移動させるように、給紙トラック１１０に沿って配置されている。
紙搬送ギア２４１が同期して回転し紙シートＰを前方に移動させるように、リレーギアを使用して様々な紙搬送ギア２４１を接続する。
【００２５】
図５、図７Ａ、及び図７Ｂを参照すると、逆駆動アセンブリ２５０は、パワー伝達アセンブリ２２０を介して駆動デバイス１３０に接続され、紙搬送ローラアセンブリを絶えず前方に回転させるために、駆動デバイス１３０によって駆動される。
逆駆動アセンブリ２５０は、互いに反対方向に回転出力を有する第１の出力端２５０ａ及び第２の出力端２５０ｂを有する。
駆動デバイス１３０が前方及び後方に回転する場合、紙搬送ローラ２４１が絶えず前方に回転するように、第１の出力端２５０ａ及び第２の出力端２５０ｂは紙搬送ローラアセンブリと交互に係合する。
【００２６】
逆駆動アセンブリ２５０は第１の逆転ギア２５１、２つの第２の逆転ギア２５２、被駆動ギア２５３、及びギアシート２５４を有する。
ギアシート２５４はベース１００に対して揺動するためにベース１００に枢動可能に接続される。第１の逆転ギア２５１、２つの第２の逆転ギア２５２、及び被駆動ギア２５３はギアシート２５４に枢動可能に接続されている。
被駆動ギア２５３及びギアシート２５４はベース１００に同軸上に接続され、被駆動ギア２５３及びギアシート２５４が同軸上に回転し、被駆動ギア２５３はパワー伝達アセンブリ２２０を介して駆動デバイス１３０に接続される。
第１の逆転ギア２５１は、逆駆動アセンブリ２５０の第１の出力端２５０ａとして働くため、ギアシート２５４の一端に枢動可能に接続され、被駆動ギア２５３と係合する。
第２の逆転ギア２５２は、ギアシート２５４の他端に枢動可能に接続され、２つの第２の逆転ギア２５２は互いに係合する。
更に、２つの逆転ギア２５２の一方が被駆動ギア２５３と係合し、他の第２の逆転ギア２５２の他方が第１の逆転ギア２５１と反対方向に回転し、第２の出力端２５０ｂとして働き、ギアシート２５４の２つの端が反対方向の回転出力によって第１の出力端２５０ａ及び第２の出力端２５０ｂを形成する。
【００２７】
図７Ａを参照すると、駆動デバイス１３０が前方に回転する場合、被駆動ギア２５３は、第１の逆転ギア２５１及び第２の逆転ギア２５２を駆動して回転させて動かし、ギアシート２５４を揺動させ、紙搬送ローラアセンブリを駆動して前方に回転させ、紙シートＰを前方に移動させるように、第１の出力端２５０ａとして働く第１の逆転ギア２５１が紙搬送ローラ２４１又は紙搬送ローラアセンブリと係合するリレーギアと係合する。
【００２８】
図７Ｂを参照すると、駆動デバイス１３０が後方に回転する場合、被駆動ギア２５３は第１の逆転ギア２５１及び第２の逆転ギア２５２を駆動して回転させて動かし、ギアシート２５４は後方に揺動し、紙搬送ローラアセンブリを駆動して前方に回転させ紙シートＰを前方に移動するように、第２の出力端２５０ｂとして働く第２の逆転ギア２５２が紙搬送ローラ２４１又は紙搬送ローラアセンブリのリレーギアと係合する。
第１の出力端２５０ａ及び第２の出力端２５０ｂの回転出力方向が反対なので、駆動デバイス１３０が前方又は後方に回転する場合、第１の出力端２５０ａ及び第２の出力端２５０ｂは紙搬送ローラアセンブリに交互に接続され、給紙トラック１１０において紙シートＰを継続的に前方に駆動させるように、紙搬送ローラアセンブリの紙搬送ローラ２４１が絶えず前方に回転する。
【００２９】
図８Ａ及び図８Ｂは、本発明の実施形態に従う他のタイプの逆駆動アセンブリ２５０の実施を示す。
逆駆動アセンブリ２５０は２つの第１の逆転ギア２５１、２つの第２の逆転ギア２５２、被駆動ギア２５３、及びギアシート２５４を含む。
被駆動ギア２５３及びギアシート２５４はベース１００に同軸上に枢動可能に接続され、被駆動ギア２５３はパワー伝達アセンブリ２２０を通して駆動デバイス１３０に絶えず接続されている。一方、２つの第１の逆転ギア２５１は、ギアシート２５４に枢動可能に接続され、被駆動ギア２５３とそれぞれ係合する。
２つの第２の逆転ギア２５２は、ベース１００に枢動可能に接続され、２つの第２の逆転ギア２５２の回転方向が反対になるように、互いに係合する。
更に、２つの第２の逆転ギア２５２の一方は紙搬送ローラアセンブリと絶えず係合し、一方、２つの第２の逆転ギア２５２の他方は紙搬送ローラアセンブリと直接的には係合しない。
【００３０】
図８Ａに示すように、駆動デバイス１３０が前方に回転し、パワー伝達アセンブリ２２０を通して被駆動ギア２５３を駆動して前方に回転させる場合、ギアシート２５４の片側を駆動して紙搬送ローラアセンブリと係合する第２の逆転ギア２５２に向かって揺動させ、紙搬送ローラアセンブリを駆動して前方に回転させて紙シートＰを前方へ移動させるように、対応する第１の逆転ギア２５１を第２の逆転ギア２５２と係合させ、駆動して前方に回転させる。
【００３１】
図８Ｂに示すように、駆動デバイス１３０が後方に回転し、パワー伝達アセンブリ２２０を介して第１の逆転ギア２５１を駆動して後方に回転させる場合、ギアシート２５４の他方の側を駆動して紙搬送ローラアセンブリと直接的には係合しない第２の逆転ギア２５２に向かって揺動させて、対応する第１の逆転ギア２５１を紙搬送ローラアセンブリ２５０と直接的に係合しない第２の逆転ギア２５２とを係合させ、第２の逆転ギア２５２を駆動して後方に回転させる。この時、紙搬送ローラアセンブリと係合する第２の逆転ギア２５２は、まだ前方に回転しており、紙ピックアップローラアセンブリ２１０を駆動して前方に回転させ紙シートＰを前方に移動させる。即ち、駆動デバイス１３０が前方に回転しようと後方に回転しようと、逆駆動アセンブリ２５０は紙搬送ローラアセンブリを絶えず前方に駆動して前方に回転させる。
【００３２】
本発明の本実施形態の動作を以下に詳細に説明する。
スキャナ又はプリンタが片面走査又は片面印刷を行う場合、駆動デバイス１３０は前方（図中時計回り）に回転し、逆駆動アセンブリ２５０の被駆動ギア２５３を駆動してパワー伝達アセンブリ２２０を通して反時計回りに回転させる。この時、被駆動ギア２５３と係合する第１の逆転ギア２５１及び２つの第２の逆転ギア２５２が駆動されて動き、ギアシート２５４がベース１００に対して時計回りに回転し、第２の出力端２５０ｂの第２の逆転ギア２５２が紙搬送ローラアセンブリと係合する。そして、紙搬送ローラアセンブリが駆動されて前方に回転し、給紙トラック１１０の紙シートＰは入口端１１１から出口端１１２へ継続的に搬送される。
【００３３】
一方、一方向駆動アセンブリ２３０の第１のクラッチギア２３１ａがパワー伝達アセンブリ２２０と係合すると、第１のクラッチギア２３１ａが駆動されて時計回りに回転し、第２のクラッチギア２３１ｂ及びアーム２３２の自由端が駆動されて紙ピックアップローラアセンブリ２１０に向かって動き、紙ピックアップローラアセンブリ２１０を駆動して回転し、紙シートＰを給紙トレイから給紙トラック１１０の入口端１１１へピックアップするように、第２のクラッチギア２３１ｂが紙ピックアップローラアセンブリ２１０と係合する。
【００３４】
加えて、一方向駆動アセンブリ２３０及び逆駆動アセンブリ２５０はパワー伝達アセンブリ２２０における異なる減速ギア２２１と係合するので、紙ピックアップローラアセンブリ２１０及び紙搬送ローラアセンブリは異なる回転速度を有する。
紙シートＰを搬送する紙ピックアップローラアセンブリ２１０の速度を、紙シートＰを搬送する紙搬送ローラアセンブリの速度よりも低く設定することにより、２枚の連続する紙シートＰの縁が互いに重複又は干渉しないように、２枚の連続する紙シートＰ間の間隔が制御される。
パワー伝達アセンブリ２２０は一方向駆動アセンブリ２３０及び逆駆動アセンブリ２５０を駆動デバイス１３０に接続するために提供され、一方向駆動アセンブリ２３０の回転速度は逆駆動アセンブリ２５０の回転速度と異なるように制御される。従って、減速ギア２２１の数は任意に設定できる。
一方向駆動アセンブリ２３０と逆駆動アセンブリ２５０のギア減速比の差によって速度差を実現するように、単一の減速ギア２２１を使用して一方向駆動アセンブリ２３０を逆駆動アセンブリ２５０に接続することも可能である。
【００３５】
更に、透明パーティション１２３が作業領域１２０の上方に配置されて作業領域１２０の上方の空間を第１の走査領域１２１と第２の走査領域１２２に分割する。
片面が走査される紙シートＰが第２の走査領域１２２を通って作業領域１２０上を通過する場合、その紙シートＰの移動路は第１の走査領域１２１で走査されるべき他の紙シートＰの移動路に干渉せず、走査されるべき紙シートＰは第１の走査領域１２１を通過する。従って、走査は第２の走査領域１２２の紙シートＰに干渉されない。従って、２枚の紙シートＰ間の間隔を縮小でき、それによって紙ピックアップ速度及び給紙速度が総体的に向上する。
片面走査が継続的に行われる場合、駆動デバイス１３０を停止又は逆回転することなく紙シートＰを給紙トラック１１０で継続的に搬送することができる。従って、作業領域１２０における２枚の紙シートＰの重複によって引き起こされる走査への影響が効果的に防止される。
駆動デバイス１３０が停止又は後方に回転することなく継続的に前方出力を行って紙シートＰの干渉を防止するので、紙シートＰの片面走査を行う場合、従来の両面走査装置又は両面印刷装置における紙搬送機構の給紙速度よりも高い給紙速度が得られる。
【００３６】
上述した図面と共に図９を参照すると、両面走査が要求される場合、駆動デバイス１３０がまず前方に回転して紙ピックアップローラアセンブリ２１０に給紙トレイから紙シートＰをピックアップさせ、入口端１１１を介して紙シートＰを給紙トラック１１０に移動させる。紙シートＰの先端が紙搬送ローラアセンブリに到着すると、給紙トラック１１０に配置されたセンサ４００が起動して駆動デバイス１３０を後方に回転させる。
図面に示すように、駆動デバイス１３０が反時計回りに回転を開始する。
【００３７】
ここで、一方向駆動アセンブリ２３０の第１のクラッチギア２３１が後方に回転して第２のクラッチギア２３２を駆動し、紙ピックアップローラアセンブリ２１０から解放させ、駆動デバイス１３０が後方に回転するのに従って一方向駆動アセンブリ２３０が紙ピックアップローラアセンブリ２１０を駆動するのを停止する。従って、両面走査が完了する前に紙ピックアップローラアセンブリ２１０が給紙カセットから他の紙シートＰをピックアップしないように、一方向駆動アセンブリ２３０は空転し、紙ピックアップローラアセンブリ２１０を駆動しない。
【００３８】
逆駆動アセンブリ２５０の被駆動ギア２５３がパワー伝達アセンブリ２２０によって駆動され、後方に回転すると、ギアシート２５４はベース１００に対して反時計回りに回転し、第２の出力端２５０ｂの第２の逆転ギア２５２が紙搬送ローラアセンブリから解放される。そして、第１の出力端２５０ａの第１の逆転ギア２５１がパワー伝達アセンブリ２２０によって駆動されて動き、紙搬送ローラアセンブリと係合する。
第１の逆転ギア２５１及び第２の逆転ギア２５２は、互いに反対方向の回転出力を有するので、駆動デバイス１３０の回転方向は変化するけれども、紙搬送ローラアセンブリは逆駆動アセンブリ２５０によってまだ駆動されて前方に回転することができ、両面が走査されるべき紙シートＰは給紙トラック１１０において継続的に前方に移動させられる。従って、紙シートＰは走査されるために作業領域１２０に面する第１の面Ｐ１が入口部１１３を介して作業領域１２０の第１の走査領域１２１を通過する。そして、反転部１１４に入る紙シートＰは反転され、作業領域１２０に戻る。
紙シートＰは走査されるために作業領域１２０に面する紙シートＰの第２の面Ｐ２を有する第２の走査領域１２１を通って作業領域１２０上を通過する。
最後に、紙シートＰは出口端１１２を経て給紙トラック１１０から去るように、紙シートＰは出口部１１５に入る。
【００３９】
そして、駆動デバイス１３０が前方に回転して、一方向伝達（駆動？）アセンブリ２３０が紙ピックアップローラアセンブリ２１０と再び係合する。
一方、逆駆動アセンブリ２５０の第１の出力端２５０ａが紙搬送ローラアセンブリから解放されて、第２の出力端２５０ｂの第２の逆転ギア２５２が紙搬送ローラアセンブリと再び係合し、紙搬送ローラアセンブリがまだ前方に回転し続け紙シートＰを前方に移動させる。
ここで、本発明の本実施形態に従う給紙装置は次の紙ピックアップ搬送動作を行うことができる。
片面走査又は両面走査の要求に従って駆動デバイス１３０を前方又は後方に回転させるように制御することによって、各紙ピックアップ搬送活動をたった一つの駆動デバイス１３０によって制御することができる。
【図面の簡単な説明】
【００４０】
【図１】本発明の実施形態の概略図である。
【図２】本発明の実施形態の側面図である。
【図３】本発明の実施形態の側面図である。
【図４】本発明の実施形態の側面図である。
【図５】本発明の実施形態の一部の側面図である。
【図６Ａ】本発明の実施形態に従う一方向駆動アセンブリの動作の概略図である。
【図６Ｂ】本発明の実施形態に従う一方向駆動アセンブリの動作の概略図である。
【図７Ａ】本発明の実施形態に従う逆駆動アセンブリの動作の概略図である。
【図７Ｂ】本発明の実施形態に従う逆駆動アセンブリの動作の概略図である。
【図８Ａ】本発明の実施形態に従う他のタイプの逆駆動アセンブリの動作の概略図である。
【図８Ｂ】本発明の実施形態に従う他のタイプの逆駆動アセンブリの動作の概略図である。
【図９】本発明の実施形態に従うセンサの動作の概略図である。
【図１】
2008044786.tif 000003
【図２】
2008044786.tif 000004
【図３】
2008044786.tif 000005
【図４】
2008044786.tif 000006
【図５】
2008044786.tif 000007
【図６Ａ】
2008044786.tif 000008
【図６Ｂ】
2008044786.tif 000009
【図７Ａ】
2008044786.tif 000010
【図７Ｂ】
2008044786.tif 000011
【図８Ａ】
2008044786.tif 000012
【図８Ｂ】
2008044786.tif 000013
【図９】
2008044786.tif 000014